(57)【要約】【課題】視聴者の希望に沿って異なるスポンサーのＣＭ放送を入れ替え可能にする交換式ＣＭ送信放送局及びシステムを提供する。【解決手段】ネットワーク１４を介して、視聴者が希望するＣＭ放送のＣＭ視聴者希望情報を送信可能な複数のデジタル放送受信機１１、及び、スポンサーが提供するＣＭ放送のＣＭスポンサー希望情報を送信するスポンサーＣＭ情報送信機１２に接続された放送局１３であって、受信部１３１と、デジタル放送番組テーブル等を記憶するデータベース１３２と、ＣＭ視聴者希望情報、ＣＭスポンサー希望情報、及びデジタル放送番組テーブルに基づいて、ＣＭスポンサー希望情報によって設定される条件の範囲内で、異なるデジタル放送受信機間で、対応する視聴者が視聴を希望するＣＭ放送を取得できるようにＣＭ交換してＣＭ放送リストを作成するＣＭ交換処理部１３３と、ＣＭ放送リスト等を送信する送信部１３４、１３５とを備える構成を有する。【選択図】図１
2008124801.tif 000002
【特許請求の範囲】
【請求項１】
ネットワークを介して、視聴者が視聴を希望するＣＭ放送等に関するＣＭ視聴者希望情報を送信可能な複数のデジタル放送受信機、及び、スポンサーが提供するＣＭ放送に関するＣＭスポンサー希望情報を送信するスポンサーＣＭ情報送信機に通信可能に接続された放送局であって、
少なくとも、前記デジタル放送受信機から送信されたＣＭ視聴者希望情報、及び、前記スポンサーＣＭ情報送信機から送信されたＣＭスポンサー希望情報を受信する受信部と、
少なくとも、放送予定のデジタル放送番組に関する情報からなるデジタル放送番組テーブルを記憶するデータベースと、
前記受信部が受信した前記ＣＭ視聴者希望情報及び前記ＣＭスポンサー希望情報、並びに、前記データベースに記憶されたデジタル放送番組テーブルに基づいて、前記ＣＭスポンサー希望情報によって設定される条件の範囲内で、異なる前記デジタル放送受信機間で、対応する視聴者が視聴を希望するＣＭ放送を取得できるように放送予定のＣＭ放送を交換してＣＭ放送リストを作成するＣＭ交換処理部と、
少なくとも、前記ＣＭ交換処理部が作成した前記ＣＭ放送リストを、対応するデジタル放送受信機に送信する送信部と、を備えたことを特徴とする交換式ＣＭ送信放送局。
【請求項２】
請求項１に記載の、交換式ＣＭ送信放送局、複数のデジタル放送受信機、及び、スポンサーＣＭ情報送信機を備えることを特徴とする交換式ＣＭ送信システム。
【発明の詳細な説明】
【技術分野】
【０００１】
本発明は、デジタルテレビ放送（以下、単にデジタル放送という。）において、スポンサーの許可の範囲内で視聴者のＣＭ放送についての希望を実現して、配信又は送信する交換式ＣＭ送信放送局及びシステムに関する。
【背景技術】
【０００２】
従来、デジタル放送では、放送番組のスポンサーのＣＭ放送が視聴者の希望とは関係なく放送され、視聴者は放送されたものを観るだけである。その結果、視聴者は、自分が見たいＣＭ放送を観ることができなかったり、逆に、興味のないＣＭ放送を観ることになっていたりしていた。
【０００３】
一方、視聴者が希望するＣＭ放送のキーワードをデジタル放送受信機が記憶しておき、一定のＣＭ放送時間帯に放送局側から多重化されて送信された複数のＣＭ放送を受信し、記憶したＣＭ放送のキーワードに基づいて、多重化されたＣＭ放送の中から視聴者の希望するＣＭ放送を受信するシステムが提案されている（例えば、特許文献１参照。）。
【特許文献１】特開２００３−００９１１１号公報
【発明の開示】
【発明が解決しようとする課題】
【０００４】
しかしながら、デジタル放送番組は一般にスポンサーからのＣＭ放送料から成り立っているが、従来の、視聴者の希望するＣＭ放送を受信するシステムでは、視聴者の希望に沿って異なるスポンサーのＣＭ放送を観ることができないという問題を有していた。その結果、視聴者は、相変わらず、興味のないＣＭを観ることになってしまう場合がしばしばあった。
【０００５】
以上の現状に鑑み、本発明の目的は、視聴者の希望に沿って異なるスポンサーのＣＭ放送に入れ替えて視聴することを可能にする交換式ＣＭ送信放送局及びシステムを提供する。
【課題を解決するための手段】
【０００６】
上記の課題を解決すべく、本発明は以下の構成を提供する。
請求項１に係る発明は、ネットワークを介して、視聴者が視聴を希望するＣＭ放送等に関するＣＭ視聴者希望情報を送信可能な複数のデジタル放送受信機、及び、スポンサーが提供するＣＭ放送に関するＣＭスポンサー希望情報を送信するスポンサーＣＭ情報送信機に通信可能に接続された放送局であって、少なくとも、前記デジタル放送受信機から送信されたＣＭ視聴者希望情報、及び、前記スポンサーＣＭ情報送信機から送信されたＣＭスポンサー希望情報を受信する受信部と、少なくとも、放送予定のデジタル放送番組に関する情報からなるデジタル放送番組テーブルを記憶するデータベースと、前記受信部が受信した前記ＣＭ視聴者希望情報及び前記ＣＭスポンサー希望情報、並びに、前記データベースに記憶されたデジタル放送番組テーブルに基づいて、前記ＣＭスポンサー希望情報によって設定される条件の範囲内で、異なる前記デジタル放送受信機間で、対応する視聴者が視聴を希望するＣＭ放送を取得できるように放送予定のＣＭ放送を交換してＣＭ放送リストを作成するＣＭ交換処理部と、少なくとも、前記ＣＭ交換処理部が作成した前記ＣＭ放送リストを、対応するデジタル放送受信機に送信する送信部と、を備えたことを特徴とする。
【０００７】
請求項２に係る発明は、請求項１に記載の、交換式ＣＭ送信放送局、複数のデジタル放送受信機、及び、スポンサーＣＭ情報送信機を備えることを特徴とする。
【発明の効果】
【０００８】
請求項１に係る発明によれば、ネットワークを介して、視聴者が視聴を希望するＣＭ放送等に関するＣＭ視聴者希望情報を送信可能な複数のデジタル放送受信機、及び、スポンサーが提供するＣＭ放送に関するＣＭスポンサー希望情報を送信するスポンサーＣＭ情報送信機に通信可能に接続された放送局であって、少なくとも、デジタル放送受信機から送信されたＣＭ視聴者希望情報、及び、スポンサーＣＭ情報送信機から送信されたＣＭスポンサー希望情報を受信する受信部と、少なくとも、放送予定のデジタル放送番組に関する情報からなるデジタル放送番組テーブルを記憶するデータベースと、受信部が受信したＣＭ視聴者希望情報及びＣＭスポンサー希望情報、並びに、データベースに記憶されたデジタル放送番組テーブルに基づいて、ＣＭスポンサー希望情報によって設定される条件の範囲内で、異なるデジタル放送受信機間で、対応する視聴者が視聴を希望するＣＭ放送を取得できるように放送予定のＣＭ放送を交換してＣＭ放送リストを作成するＣＭ交換処理部と、少なくとも、ＣＭ交換処理部が作成したＣＭ放送リストを、対応するデジタル放送受信機に送信する送信部と、を備えるため、視聴者の希望に沿って異なるスポンサーのＣＭ放送に入れ替えて視聴することが可能な、交換式ＣＭ送信放送局を実現することができる。
【０００９】
請求項２に係る発明によれば、上記請求項１の効果に加えて、請求項１に記載の、交換式ＣＭ送信放送局、複数のデジタル放送受信機、及び、スポンサーＣＭ情報送信機を備えるため、視聴者の希望に沿って異なるスポンサーのＣＭ放送に入れ替えて視聴することが可能な、交換式ＣＭ送信システムを実現することができる。
【発明を実施するための最良の形態】
【００１０】
以下、実施例を示した図面を参照しつつ本発明の実施の形態について説明する。
図１は、本発明による交換式ＣＭ送信システムの一実施例を模式的に示すブロック構成図である。交換式ＣＭ送信システムは、図１に示すように、視聴者が視聴を希望するＣＭ放送等に関する所定の情報（以下、ＣＭ放送を単にＣＭといい、視聴者が視聴を希望するＣＭを希望ＣＭといい、希望ＣＭ等に関する所定の情報をＣＭ視聴者希望情報という。）を有する受信機対応情報テーブルを、ネットワーク１４を介して送信する複数のデジタル放送受信機１１、スポンサーが提供するＣＭに関する情報及びスポンサーの希望（以下、ＣＭスポンサー希望情報という。）を、ネットワーク１４を介して送信する複数のスポンサーＣＭ情報送信機１２と、ネットワーク１４を介して、受信機対応情報テーブル、ＣＭスポンサー希望情報等を受信し、放送予定のＣＭのリスト（以下、ＣＭ放送リストという。）等を生成する交換式CM送信放送局（以下、単に放送局という。）１３と、を備え、放送局１３が、受信した各受信機対応情報テーブルのＣＭ視聴者希望情報及び各ＣＭスポンサー希望情報、その他の所定の情報に基づいて、対応する上記のＣＭ放送リストを変更し受信機対応情報テーブルに記録して、ネットワーク１４を介して該当するデジタル放送受信機１１に送信するように構成される。なお、放送局１３は、作成した受信機対応情報テーブルに応じて、デジタル放送受信機１１が放送する予定のＣＭのデータ（以下、ＣＭデータという。）を、ネットワーク１４を介して該当するデジタル放送受信機１１に送信するようになっている。
【００１１】
ここで、ＣＭ放送リストの変更は、変更によって可能な限り上記の希望ＣＭを取得できるように行われ、例えば、異なるデジタル放送受信機１１間に送信されるＣＭを交換するように行われる。以下、ＣＭを上記のように交換することをＣＭ交換といい、ＣＭ放送リストの変更はこのＣＭ交換によって行われるものとする。ＣＭ交換の間隔は、例えば、1日、1週間、1ヶ月等、自由に選択できるのでもよい。
【００１２】
デジタル放送受信機１１は、ＣＭ視聴者希望情報をなす、希望ＣＭを特定するキーワード等を入力させるＣＭ選択入力部１１１と、ＣＭ選択入力部１１１を介して入力されたＣＭ視聴者希望情報を有する受信機対応情報テーブル、ＣＭデータ等を格納する受信機側データベース１１２と、受信機側データベース１１２に格納された受信機対応情報テーブル等を読み出して放送局１３に送信する受信機側送信部１１３と、放送局１３から送信された受信機対応情報テーブル等を受信する対応情報等受信部１１４と、放送局１３から送信されたＣＭデータ等を受信して、受信機側データベース１１２に格納するＣＭデータ等受信部１１５と、受信機対応情報テーブルに記録されたＣＭ放送リストに応じて、受信機側データベース１１２に格納されたＣＭデータを抽出して出力するＣＭ抽出部１１６と、ＣＭ抽出部１１６から出力されたＣＭデータを再生するディスプレイ１１７と、を有する。
【００１３】
ＣＭ選択入力部１１１は、ＣＭ視聴者希望情報として、例えば、キーボード、タッチ画面等からなり、視聴者が視聴を希望するＣＭの商品名、スポンサー名等の希望ＣＭキーワードと、視聴したくないＣＭの商品名、スポンサー名等希望の非ＣＭキーワードとを入力させるようになっている。なお、入力された各キーワード等は、受信機対応情報テーブルに記録され、受信機側データベース１１２に格納される。
【００１４】
受信機側データベース１１２は、上記のように、受信機対応情報テーブル、ＣＭデータ等を格納する。ここで、受信機対応情報テーブルは、ＣＭ視聴者希望情報がＣＭ選択入力部１１１を介して受信機対応情報テーブルに入力されたときに格納し、放送局１３から送信された受信機対応情報テーブルを受信したときに更新して格納される。
【００１５】
受信機側送信部１１３は、受信機側データベース１１２に格納され、デジタル放送受信機１１を一意に識別するＩＤ（以下、デジタル放送受信機ＩＤという。）が記録された受信機対応情報テーブル等を放送局１３に送信する。受信機側送信部１１３からの送信は、ＣＭ選択入力部１１１を介して受信機対応情報テーブルが変更されたとき、または、放送局１３からの送信要求に応じて行われる。
【００１６】
対応情報等受信部１１４は、放送局１３から送信された、受信機対応情報テーブル、送信要求等を受信し、既に格納されている受信機対応情報テーブルを受信した受信機対応情報テーブルで更新するように受信機側データベース１１２に格納する。
【００１７】
ＣＭ抽出部１１６は、受信機側データベース１１２に格納された受信機対応情報テーブルを読み出し、受信機対応情報テーブルに記録されたＣＭ放送リストに応じて、受信機側データベース１１２からＣＭデータを抽出し、多重化されたＣＭデータを復号し、必要な場合には、アナログ信号に変換して、該当するＣＭデータをディスプレイ１１７に出力する。
【００１８】
スポンサーＣＭ情報送信機１２は、スポンサーが提供するＣＭの、スポンサー名、商品名、商品内容等からなるＣＭ内容キーワードと、このＣＭの放送を許可しないデジタル放送番組の内容、スポンサー名等からなるＣＭ放送不許可番組キーワードとを有するＣＭスポンサー希望情報等を入力させる提供ＣＭ情報入力部１２１と、提供ＣＭ情報入力部１２１から入力されたＣＭスポンサー希望情報等を格納するスポンサー側データベース１２２と、スポンサー側データベース１２２からＣＭスポンサー希望情報等を読み出し、読み出した情報、及び、対象のＣＭを一意に識別するＩＤ（以下、ＣＭ−ＩＤという。）を、放送局１３へ送信する提供ＣＭ情報送信部１２３と、を有する。
【００１９】
放送局１３は、各受信機対応情報テーブル及び各ＣＭスポンサー希望情報を受信して処理する局側受信処理部１３１と、ＣＭ交換に用いる所定の情報を記憶する局側データベース１３２と、ＣＭ交換を行うＣＭ交換処理部１３３と、各受信機対応情報テーブル等を対応するデジタル放送受信機１１に送信する対応情報等送信部１３４と、ＣＭデータ等を多重化して対応するデジタル放送受信機１１に送信するＣＭデータ等多重送信部１３５と、を備える。
【００２０】
局側受信処理部１３１は、例えば図２に示す、受信機対応情報テーブルの送信元の各デジタル放送受信機１１を特定するデジタル放送受信機ＩＤからなるＣＭ交換希望受信機テーブルと、例えば図３に示す、受信したデジタル放送受信機１１毎の希望ＣＭのＣＭ−ＩＤ等が設定された受信機対応情報テーブルと、例えば図４に示す、ＣＭ−ＩＤ毎の、ＣＭ内容キーワード及びＣＭ放送不許可番組キーワードからなるＣＭスポンサー希望情報等が設定されたＣＭ毎許可関連情報テーブルと、を作成又は更新する。
【００２１】
図２は、局側受信処理部が作成するＣＭ交換希望受信機テーブルの一実施例を示す図である。このＣＭ交換希望受信機テーブルは、ＣＭ交換を行なうデジタル放送受信機のデジタル放送受信機ＩＤのリストとして構成され、ＣＭ交換を行なうデジタル放送受信機の優先順位を示す。放送局１３がデジタル放送受信機から受信機対応情報テーブルを受信したとき、受信機対応情報テーブルのうちのデジタル放送受信機ＩＤは、このリストの最後尾に設定される。ＣＭ交換は、ＣＭ交換希望受信機テーブルの先頭のデジタル放送受信機ＩＤで識別されるデジタル放送受信機から、順番に行われる。ＣＭ交換が行われたとき、該当するデジタル放送受信機ＩＤは、ＣＭ交換希望受信機テーブルの最後尾に移動される。これによって、ＣＭ交換が行われていないデジタル放送受信機の優先順位が繰り上げられ、ＣＭ交換のサービスが相対的に受けやすくなる。
【００２２】
局側データベース１３２は、局側受信処理部１３１によって作成又は更新されたＣＭ交換希望受信機テーブル、及びＣＭ毎許可関連情報テーブル、並びに、デジタル放送受信機１１に配信される各デジタル放送番組を特定する、例えば図５に示すデジタル放送番組テーブル、及び、各デジタル放送受信機１１に送信するＣＭデータを記憶する。
【００２３】
ＣＭ交換処理部１３３は、局側データベース１３２が記憶するＣＭ交換希望受信機テーブル、ＣＭ毎許可関連情報テーブル、及びデジタル放送番組テーブル、並びに対応するデジタル放送受信機１１が記憶する受信機対応情報テーブルに基づいて、ＣＭ交換を行なう。ＣＭ交換は、まず、要求元のデジタル放送受信機１１をＣＭ交換希望受信機テーブルに基づいて決定し、要求元のデジタル放送受信機１１側の希望ＣＭを、他のデジタル放送受信機１１の視聴者の希望、ＣＭ毎許可関連情報テーブル内のＣＭスポンサー希望情報から特定されるＣＭに関するスポンサーの希望等の条件に反することなく取得するように、行われる。
【００２４】
図３は、局側受信処理部が更新する受信機対応情報テーブルの一実施例を示す図である。受信機対応情報テーブルは、デジタル放送受信機毎に生成され、例えば、図３に示すように、デジタル放送受信機ＩＤ３１、希望ＣＭキーワード３２、非希望ＣＭキーワード３３、希望ＣＭのＩＤである希望ＣＭ−ＩＤ３４、視聴したくないＣＭ（以下、非希望ＣＭという。）のＩＤである非希望ＣＭ−ＩＤ３５、及びＣＭ放送３６、の各項目から構成される。
【００２５】
希望ＣＭ−ＩＤ３４は、受信機対応情報テーブル内の希望ＣＭキーワード３２毎に、対象の希望ＣＭキーワード３２がＣＭ毎許可関連情報テーブル内のいずれかのＣＭ内容キーワードと一致するか否かについて局側受信処理部１３１によって判定され、一致したと判定されたＣＭのＣＭ−ＩＤからなる。例えば、ＴＶ−００のデジタル放送受信機から送信された希望ＣＭキーワードが「携帯電話」であり、ＣＭ−ＩＤがＣＭ−０３のＣＭ内容キーワードが「携帯電話」である場合、ＴＶ−００のデジタル放送受信機向けの受信機対応情報テーブルの希望ＣＭ−ＩＤ３４には、ＣＭ−０３が設定される。
【００２６】
非希望ＣＭ−ＩＤ３５は、受信機対応情報テーブル内の非希望ＣＭキーワード３３毎に、対象の非希望ＣＭキーワード３３がＣＭ毎許可関連情報テーブル内のいずれかのＣＭ内容キーワードと一致するか否かについて局側受信処理部１３１によって判定され、一致したと判定されたＣＭのＣＭ−ＩＤからなる。例えば、ＴＶ−００のデジタル放送受信機から送信された非希望ＣＭキーワードが「パソコン」であり、ＣＭ−ＩＤがＣＭ−０２のＣＭ内容キーワードが「パソコン」である場合、ＴＶ−００のデジタル放送受信機向けの受信機対応情報テーブルの非希望ＣＭ−ＩＤ３５には、ＣＭ−０２が設定される。
【００２７】
ＣＭ放送３６には、デジタル放送受信機に送信されるＣＭの放送日時と、ＣＭ−ＩＤと、ＣＭ放送予定のデジタル放送番組を一意に識別するデジタル放送番組ＩＤと、が少なくても対応付けられて設定され、ここに設定された情報は、上記のＣＭ放送リストをなす。具体的には、図３において、ＴＶ−００のデジタル放送受信機では、２００６年５月５日の１５時（２００６／０５／０５  １５：００）に、受信機側データベースに格納されているＣＭデータのうちのＣＭ−００で特定されるＣＭが、ＰＧＭ−００で特定される番組において放送される予定となっている。ここで、ＣＭ交換が過去に行われていない受信機対応情報テーブルについては、ＣＭ放送３６の設定内容は、放送局１３が通常行うＣＭ配信のものと同一である。
【００２８】
受信機対応情報テーブルの更新は、まず、希望ＣＭキーワード３２及び非希望ＣＭキーワード３３、並びにＣＭ毎許可関連情報テーブル内のＣＭ内容キーワードに基づいて、上記のように決定された、希望ＣＭ−ＩＤ及び非希望ＣＭ−ＩＤが、ぞれぞれ、対応する項目３４、３５に設定される。したがって、希望ＣＭ−ＩＤ３４及び非希望ＣＭ−ＩＤ３５は、希望ＣＭキーワード３２及び非希望ＣＭキーワード３３、並びにＣＭスポンサー希望情報及びデジタル放送番組の変更に応じて更新される。
【００２９】
希望ＣＭ−ＩＤ３４及び非希望ＣＭ−ＩＤ３５の更新は、例えば、ＴＶ−０２が放送局へ希望ＣＭキーワード３２又は非希望ＣＭキーワード３３として「パソコン」を追加して新たに送信した場合、ＣＭ内容キーワードとして「パソコン」を含むＣＭが、ＴＶ−０２の対応する項目３４、３５にＣＭ−０２として追加される。
【００３０】
ＣＭ放送３６の更新は、まず、直前の内容に新たな内容を追加し、次に、対象の期間のＣＭについて必要とされるＣＭ交換が行われ、ＣＭ交換されたＣＭがＣＭ放送３６に設定されるようになされる。図３において、ＴＶ−００のデジタル放送受信機が２００６／０５／０５  １７：００に放送予定のＣＭ−０２とＴＶ−０２のデジタル放送受信機が２００６／０５／０５  １５：００に放送予定のＣＭ−００とを交換した場合、ＴＶ−００のＣＭ放送３６の１７：００から放送される予定のＣＭ−０２を、交換したＣＭ−００に変更する。また、ＴＶ−０２の１５：００から放送される予定のＣＭ−００を、交換したＣＭ−０２に変更する。
【００３１】
図４は、局側受信処理部が作成するＣＭ毎許可関連情報テーブルの一実施例を示す図である。ＣＭ毎許可関連情報テーブルは、図４に示すように、ＣＭ−ＩＤ４１、ＣＭ内容キーワード４２、ＣＭ可換デジタル放送受信機ＩＤ４３、及びＣＭ放送不許可番組キーワード４４から構成される。
【００３２】
ＣＭ可換デジタル放送受信機ＩＤ４３には、ＣＭ−ＩＤ毎に、対象のＣＭの交換を許容するデジタル放送受信機のデジタル放送受信機ＩＤが設定される。ＣＭ可換デジタル放送受信機ＩＤ４３の設定は、以下のように設定される。図３及び図４に示すように、ＴＶ−０２の受信機対応情報テーブル内のデジタル放送受信機の希望ＣＭキーワード３２が「商品名：ＤＤＤ」であり、ＣＭ毎許可関連情報テーブル内のＣＭ−００のＣＭ内容キーワード４２として、「商品名：ＡＡＡ」、「スポンサー：ａａａ」、「液晶テレビ」、及び「新液晶パネルＡ」が設定されている場合、ＣＭ内容キーワード４２に「商品名：ＤＤＤ」が設定されていないため、ＴＶ−０２のデジタル放送受信機はＣＭ−００のＣＭを希望していないとみなし、ＣＭ−００のＣＭ可換デジタル放送受信機ＩＤ４３にＴＶ−０２が設定される。
【００３３】
ＣＭ放送不許可番組キーワード４４は、ＣＭ−ＩＤ毎に、ＣＭ交換のために放出される候補のＣＭ（以下、放出ＣＭという。）と取得される候補の希望ＣＭとがそれぞれ交換されたときに入れ替わるデジタル放送番組において、対応する各ＣＭの放送がスポンサーによって許可されているか否かを判定するために用いられる。図４において、ＣＭ−００のＣＭ放送不許可番組キーワード４４に「お笑い番組」と「音楽番組」が設定されているため、ＣＭ−００のＣＭは、「お笑い番組」と「音楽番組」において放送されることが許可されず、これに抵触するＣＭ交換は許可されない。
【００３４】
ＣＭ毎許可関連情報テーブルのＣＭ−ＩＤ４１に追加する登録は、放送局がＣＭスポンサー希望情報をスポンサーＣＭ情報送信機から最初に受信したときに行われ、ＣＭ内容キーワード４２及びＣＭ放送不許可番組キーワード４４の更新は、放送局がＣＭスポンサー希望情報をスポンサーＣＭ情報送信機から受信する毎に行われる。また、ＣＭ可換デジタル放送受信機ＩＤ４３の更新は、受信機対応情報テーブルが更新される毎に行われる。図３及び図４において、ＴＶ−０２の受信機対応情報テーブル内の希望ＣＭ−ＩＤ３４にＣＭ−０２が追加された場合、ＣＭ毎許可関連情報テーブル内のＣＭ−０２のＣＭ可換デジタル放送受信機ＩＤ４３からＴＶ−０２が削除される。
【００３５】
図５は、局側受信処理部が作成するデジタル放送番組テーブルの一実施例を示す図である。デジタル放送番組テーブルは、デジタル放送番組ＩＤ５１、及び、対応するデジタル放送番組の内容に関するデジタル放送番組内容キーワード５２から構成される。デジタル放送番組内容キーワード５２は、ＣＭ交換で交換される各ＣＭが交換先のデジタル放送番組で放送が拒否されているか否か、を判定するときに用いられ、例えば、「サッカー」、「ニュース」等の「ジャンル」、「番組名」、「スポンサー名」等が設定される。デジタル放送番組テーブルへのデジタル放送番組の登録は、放送局で新たなデジタル放送番組の配信が決められたときに行われる。
【００３６】
図１に戻って、対応情報等送信部１３４は、局側受信処理部１３１及びＣＭ交換処理部１３３が更新しＣＭ交換して得られた各受信機対応情報テーブルをデジタル放送受信機１１に送信すると共に、受信機対応情報テーブルの送信要求等を対応するデジタル放送受信機１１に送信する。各受信機対応情報テーブルを対応するデジタル放送受信機１１に送信することによって、放送局１３側で、接続される各デジタル放送受信機１１の受信機対応情報テーブルを格納することに起因する記憶データ量の増大が防止される。受信機対応情報テーブルは、例えばＣＭ交換のときに、上記の送信要求に応じて、デジタル放送受信機１１から放送局１３に送信される。
【００３７】
ＣＭデータ等多重送信部１３５は、ＣＭの放送予定前に、予め、局側データベース１３２からＣＭデータを読み出して多重化し、該当するデジタル放送受信機１１に送信する。例えば、ＣＭ交換が２００６／０５／２１〜２００６／０５／２７の期間に放送される予定のＣＭに対して行われる場合、２００６／０５／２１以前の所定の日に、これらの放送予定のＣＭについてＣＭデータが多重化され該当するデジタル放送受信機１１に送信される。送信されるＣＭデータは、一般に異なるＣＭデータが多重化されたものであるため、送信に多数の通信チャネルを必要とすることから、放送直前又は放送時を避け予め送信しおくものである。このように送信することは、通信チャネルの効率的利用に資する。
【００３８】
図６〜図８は、放送局のＣＭ交換処理部が行なうＣＭ交換の処理について説明するフローチャートである。
まず、局側データベースからＣＭ交換希望受信機テーブルを読み出し（Ｓ６０２）、ＣＭ交換を希望しているデジタル放送受信機（以下、当方デジタル放送受信機という。）を特定するデジタル放送受信機ＩＤとして、ＣＭ交換希望受信機テーブルの先頭にリストされたデジタル放送受信機ＩＤを選択し（Ｓ６０４）、当方デジタル放送受信機から受信機対応情報テーブル（以下、当方受信機対応情報テーブルという。）を受信する（Ｓ６０６）。例えば、図２におけるＴＶ−００をデジタル放送受信機ＩＤとして選択し、ＴＶ−００の当方デジタル放送受信機から受信機対応情報テーブルを、当方受信機対応情報テーブルとして受信する。
【００３９】
次に、受信した当方受信機対応情報テーブルから、当方デジタル放送受信機の希望ＣＭのＣＭ−ＩＤ（以下、このＣＭを当方希望ＣＭといい、この希望ＣＭ−ＩＤを当方希望ＣＭ−ＩＤという。）として、最初にリストされた希望ＣＭ−ＩＤを抽出する（Ｓ６０８）。上記の例においては、例えば図３におけるＴＶ−００のＣＭ−００を、当方希望ＣＭ−ＩＤとして抽出する。
【００４０】
次に、局側データベースからＣＭ毎許可関連情報テーブルを読み出し（Ｓ６１０）、当方希望ＣＭ−ＩＤに基づいて、当方希望ＣＭの放出を許容する相手方のデジタル放送受信機（以下、相手方デジタル放送受信機という。）のデジタル放送受信機ＩＤ、即ち、ＣＭ可換デジタル放送受信機ＩＤを、ＣＭ毎許可関連情報テーブルから抽出する（Ｓ６１２）。上記の例においては、例えば図４におけるＴＶ−０２を、ＣＭ−００に対応するＣＭ可換デジタル放送受信機ＩＤとして抽出する。
【００４１】
ステップＳ６１２で相手方デジタル放送受信機したとき、選択した相手方デジタル放送受信機に受信機対応情報テーブル（以下、相手方受信機対応情報テーブルという。）の送信要求を行い、相手方受信機対応情報テーブルを受信する（Ｓ６１４）。
【００４２】
次に、当方デジタル放送受信機から交換のために放出するＣＭのＣＭ−ＩＤ（以下、このＣＭを当方放出ＣＭといい、このＣＭ−ＩＤを当方放出ＣＭ−ＩＤという。）として、当方受信機対応情報テーブルの希望ＣＭ−ＩＤにリストされていないＣＭ−ＩＤを抽出する（Ｓ６１６）。上記の例においては、例えば図３におけるＣＭ−０１が希望ＣＭ−ＩＤにリストされていない最初のＣＭ−ＩＤであるため、このＣＭ−０１を抽出する。図３において、ＣＭ−０１の当方放出ＣＭは、１６：００からの放送予定となっている。
【００４３】
次に、当方デジタル放送受信機側で当方放出ＣＭを当方希望ＣＭにするＣＭ交換が可能か否かを、相手方デジタル放送受信機の不許可と、ＣＭについて設定されたＣＭ交換不許可番組とに基づいて判定し、可能な場合にＣＭ交換を行う許可判定交換処理を行なう（Ｓ６２０）。図７は、許可判定交換処理の一実施例を説明するフローチャートである。
【００４４】
次に、ステップＳ６１６で抽出した当方放出ＣＭ−ＩＤが、相手方受信機対応情報テーブルの非希望ＣＭ−ＩＤにリストされているか否かを判定する（Ｓ６２２）。相手方デジタル放送受信機がこの当方放出ＣＭとのＣＭ交換を拒否しているか否かによって、相手方デジタル放送受信機との交換可能性を判定するものである。ステップＳ６２２でリストされていないと判定したとき、相手方デジタル放送受信機がこの当方放出ＣＭとのＣＭ交換を拒否していないとし、処理はステップＳ６２４に進み、ＣＭ交換のための処理を進める。
【００４５】
これに対して、相手方受信機対応情報テーブルの非希望ＣＭ−ＩＤにリストされていると判定したとき、この当方放出ＣＭとのＣＭ交換が拒否されているとし、この当方放出ＣＭについてのＣＭ交換を行わず、次の交換対象を検索するために、処理は図８に示すステップＳ６３４に移る。上記の例においては、例えば図４に当方放出ＣＭ−ＩＤであるＣＭ−０１が、相手方受信機対応情報テーブルの非希望ＣＭ−ＩＤにリストされているため、この当方放出ＣＭについてのＣＭ交換を行わず、次の交換対象を検索するために、ステップＳ６３４に移る。
【００４６】
ステップＳ６３４では、当方受信機対応情報テーブルに基づいて、当方デジタル放送受信機側の次のＣＭ交換の対象となる当方放出ＣＭ−ＩＤが残っているか否かを、判定する。ステップＳ６３４で次のＣＭ交換の対象となる当方放出ＣＭ−ＩＤが残っていると判定したとき、処理は、ステップＳ６１６に戻り、上記の処理を繰り返す。これに対して、次のＣＭ交換の対象となる当方放出ＣＭ−ＩＤが残っていないと判定したとき、処理は、ステップＳ６４０に跳ぶ。
【００４７】
上記の例においては、ステップＳ６３４で、例えば図３に示す当方受信機対応情報テーブルにＣＭ−０２が残っているため、当方放出ＣＭ−ＩＤが残っていると判定する。この場合、ステップＳ６１６以降の各ステップで以下のように処理が進められる。まず、ステップＳ６１６で、ＣＭ−０２が当方放出ＣＭ−ＩＤとして抽出され、次に、ステップＳ６２２で、ＣＭ−０２が相手方受信機対応情報テーブルの非希望ＣＭ−ＩＤにリストされていないと判定し、処理がステップＳ６２４に進む。
【００４８】
次に、当方デジタル放送受信機側で、当方放出ＣＭ−ＩＤに基づいて、当方放出ＣＭが放送される予定の番組（以下、放出ＣＭ当方放送予定番組という。）のデジタル放送番組ＩＤを、当方受信機対応情報テーブル内のＣＭ放送から検索する（Ｓ６２４）。上記の例においては、例えば図３におけるＰＧＭ−０２を、ＣＭ−０２に対応するものとして抽出する。図３において、放出ＣＭ当方放送予定番組ＰＧＭ−０２は、２００６／０５／０５の１７：００から放送予定になっている。
【００４９】
次に、当方放出ＣＭを当方希望ＣＭに入れ替えたときに、放出ＣＭ当方放送予定番組が当方希望ＣＭのスポンサーによって拒否されたものでないことをチェックするために、ＣＭ毎許可関連情報テーブルから当方希望ＣＭ−ＩＤで特定されるＣＭ放送不許可番組キーワードを抽出し、デジタル放送番組テーブルから放出ＣＭ当方放送予定番組のデジタル放送番組ＩＤで特定されるデジタル放送番組内容キーワードを抽出し、デジタル放送番組内容キーワードを個々にＣＭ放送不許可番組キーワードと比較し、一致するものがあるか否かを判定する（Ｓ６２６）。
【００５０】
ステップＳ６２６で、一致するものがないと判定したとき、処理はステップＳ６２８に進み、一致するものがあると判定したとき、処理はステップＳ６３４に移る。上記の例においては、例えば図４における「お笑い」及び「ニュース」をＣＭ−００に対応するＣＭ放送不許可番組キーワードとして抽出し、例えば図５における「番組名：ＧＧＧ」、「音楽」、及び「スポンサー：ｃｃｃ」をＰＧＭ−０２に対応するデジタル放送番組内容キーワードとして抽出し、「番組名：ＧＧＧ」、「音楽」及び「スポンサー：ｃｃｃ」を個々に「お笑い」及び「ニュース」と比較し、一致するものがあるか否かを判定し、一致するものがない、即ち、ＣＭ交換が拒否されていないと判定し、ステップＳ６２８に処理が進む。
【００５１】
次に、相手方デジタル放送受信機側で、当方希望ＣＭ−ＩＤに基づいて、当方放出ＣＭが放送される予定の番組（以下、放出ＣＭ相手方放送予定番組という。）のデジタル放送番組ＩＤを、相手方受信機対応情報テーブルのＣＭ放送から検索する（Ｓ６２８）。上記の例においては、例えば図３におけるＰＧＭ−００を、ＣＭ−００に対応するものとして抽出する。図３において、放出ＣＭ相手方放送予定番組ＰＧＭ−００は、２００６／０５／０５の１５：００から放送予定になっている。
【００５２】
次に、相手方デジタル放送受信機側で、ＣＭを当方デジタル放送受信機側とで入れ替えたときに、放出ＣＭ相手方放送予定番組が当方放出ＣＭのスポンサーによって拒否されたものでないことをチェックするために、ＣＭ毎許可関連情報テーブルから当方放出ＣＭ−ＩＤで特定されるＣＭ放送不許可番組キーワードを抽出し、デジタル放送番組テーブルから放出ＣＭ相手方放送予定番組のデジタル放送番組ＩＤで特定されるデジタル放送番組内容キーワードを抽出し、デジタル放送番組内容キーワードを個々にＣＭ放送不許可番組キーワードと比較し、一致するものがあるか否かを判定する（Ｓ６３０）。
【００５３】
ステップＳ６３０で、一致するものがないと判定したとき、処理はステップＳ６３２に進み、一致するものがあると判定したとき、処理はステップＳ６３４に移る。上記の例においては、例えば図４における「ニュース」及び「お笑い」をＣＭ−０２に対応するＣＭ放送不許可番組キーワードとして抽出し、例えば図５における「番組名：ＥＥＥ」、「サッカー」及び「スポンサー：ａａａ」をＰＧＭ−００に対応するデジタル放送番組内容キーワードとして抽出し、「番組名：ＥＥＥ」、「サッカー」及び「スポンサー：ａａａ」を個々に「ニュース」及び「お笑い」と比較し、一致するものがあるか否かを判定し、一致するものがない、即ち、ＣＭ交換が拒否されていないと判定し、ステップＳ６３２に処理が進む。
【００５４】
次に、当方受信機対応情報テーブルのＣＭ放送にリストされている当方放出ＣＭ−ＩＤを当方希望ＣＭ−ＩＤに設定し、相手方受信機対応情報テーブルのＣＭ放送にリストされている当方希望ＣＭ−ＩＤを当方放出ＣＭ−ＩＤに設定する（Ｓ６３２）。上記の例においては、例えば図３におけるＴＶ−００のＰＧＭ−０２のＣＭ−０２をＣＭ−００に設定し、ＴＶ−０２のＰＧＭ−００のＣＭ−００をＣＭ−０２に設定する。この結果、デジタル放送受信機ＴＶ−００で１７：００から放送されるデジタル放送番組ＰＧＭ−０２のＣＭ−０２で特定されるＣＭが、デジタル放送受信機ＴＶ−０２で１５：００から放送されるデジタル放送番組ＰＧＭ−００のＣＭ−００で特定されるＣＭに設定され、デジタル放送受信機ＴＶ−００で視聴者が希望するＣＭを視聴することが可能になる。
【００５５】
次に、当方受信機対応情報テーブルの希望ＣＭ−ＩＤに、残りの希望ＣＭがリストされていないか否かを判定し（Ｓ６４０）、残りの希望ＣＭがリストされていないと判定したとき、このデジタル放送受信機についてのＣＭ交換の処理は終了し、残りの希望ＣＭがリストされていると判定したとき、処理はステップＳ６０８に戻り、上記の処理を繰り返す。ＣＭ交換の処理が終了したとき、当方受信機対応情報テーブルは、対応情報等送信部によって対応するデジタル放送受信機に送信される。
【図面の簡単な説明】
【００５６】
【図１】本発明による交換式ＣＭ送信システムの一実施例を模式的に示すブロック構成図である。
【図２】局側受信処理部が作成するＣＭ交換希望受信機テーブルの一実施例を示す図である。
【図３】局側受信処理部が更新する受信機対応情報テーブルの一実施例を示す図である。
【図４】局側受信処理部が作成するＣＭ毎許可関連情報テーブルの一実施例を示す図である。
【図５】局側受信処理部が作成するデジタル放送番組テーブルの一実施例を示す図である。
【図６】放送局のＣＭ交換処理部が行なうＣＭ交換の処理について説明するフローチャートである。
【図７】ステップＳ６２０で行われる許可判定交換処理について説明するフローチャートである。
【図８】許可判定交換処理におけるステップＳ６３４について説明するフローチャートである。
【符号の説明】
【００５７】
１１  デジタル放送受信機
１２  スポンサーＣＭ情報送信機
１３  交換式CM送信放送局
１４  ネットワーク
２１、３１  デジタル放送受信機ＩＤ
３２  希望ＣＭキーワード
３３  非希望ＣＭキーワード
３４  希望ＣＭ−ＩＤ
３５  非希望ＣＭ−ＩＤ
３６  ＣＭ放送
４１  ＣＭ−ＩＤ
４２  ＣＭ内容キーワード
４３  ＣＭ可換デジタル放送受信機ＩＤ
４４  ＣＭ放送不許可番組キーワード
５１  デジタル放送番組ＩＤ
５２  デジタル放送番組内容キーワード
１１１  ＣＭ選択入力部
１１２  受信機側データベース
１１３  受信機側送信部
１１４  対応情報等受信部
１１５  ＣＭデータ等受信部
１１６  ＣＭ抽出部
１１７  ディスプレイ
１２１  提供ＣＭ情報入力部
１２２  スポンサー側データベース
１２３  提供ＣＭ情報送信部
１３１  局側受信処理部
１３２  局側データベース
１３３  ＣＭ交換処理部
１３４  対応情報等送信部
１３５  ＣＭデータ等多重送信部
【図１】
2008124801.tif 000003
【図２】
2008124801.tif 000004
【図３】
2008124801.tif 000005
【図４】
2008124801.tif 000006
【図５】
2008124801.tif 000007
【図６】
2008124801.tif 000008
【図７】
2008124801.tif 000009
【図８】
2008124801.tif 000010